(57)【特許請求の範囲】
【請求項１】
本を構成する紙片の少なくとも一枚が小口方向に延長された延長部を備え、前記延長部が本文の少なくとも一部を封緘するように折り曲げられ、延長部先端が本を構成する他の紙片に接着されてなる封緘本において、前記延長部を有する紙片の、延長部以外の部分が、封緘される本文側とは反対側の紙片と接着されてなることを特徴とする封緘本。
【請求項２】
前記他の紙片が、封緘される本文側の紙片又は封緘される本文頁側とは反対側の紙片と接着されていることを特徴とする請求項１記載の封緘本。
【発明の詳細な説明】
【技術分野】
【０００１】
本発明は、書籍、雑誌及びカタログ等の少なくとも一部が封緘された封緘本に関するものである。
【背景技術】
【０００２】
近年、立ち読み防止等のために、封緘された本が求められている。すなわち、本の小口側をくるむように封緘することで、その封緘を開かなければ、封緘された部分の本の内容を読むことができないというものである。
【０００３】
これは、高級な写真集や美術誌などの立ち読みを防止することが典型的な目的であるが、それだけでなく、青少年に見せるべきでない内容を有する本からの青少年保護、発送に適した形態を得るため等の多くの目的を有している。
【０００４】
例えば、雑誌などを発送に適した形態にすることを目的として、雑誌に保護カバーを取り付ける技術が知られている。これは、小口側の本の表紙に、テープを貼着し、本の小口をテープでくるみ、他方の表紙に貼着するというものである（例えば、特許文献１参照。）。
【０００５】
また、本の一部を封緘して、店頭に陳列することで、部分的に本を見ることができ、購買意欲を高めるという技術が知られている。これは、表表紙又は裏表紙の一方を小口側に延長し、その延長部分で本の所望の部分をくるむように封緘する、というものである（例えば、特許文献２参照。）。
【０００６】
以下に、上記先行技術文献を示す。
【特許文献１】特開昭４９−５５４１９号公報
【特許文献２】特開平８−１４２５４０号公報
【発明の開示】
【発明が解決しようとする課題】
【０００７】
ところが、上述のように、多様な目的で封緘本が製造されるようになり、頁数が多い本にも用いられるようになってきている。頁数が多い本の場合、以下のような問題点があった。
【０００８】
すなわち、封緘に用いられる紙片が、本の輸送や読者の手元に届くまでの取扱い時に、力を受け、本を綴じている部分に大きな力が加わり、破壊される、あるいは、綴じている部分に近い部分の紙片に皺が生じたり、ひどい場合には破れが生じるおそれがあるというものである。
【０００９】
また、接着材料を用いて綴じる、無線綴じの本においては、接着材料を用いて綴じるため、綴じている部分が破壊される可能性は極めて低いが、針金を用いて綴じる、中綴じの本においては、破壊が生じる可能性は否定できなかった。
【００１０】
また、封緘は上記の先行技術文献にもあるように、本の表紙の紙片を延長して行われることも多いが、表紙や、表紙に隣接する紙片には、本文と異なる種類の紙や表面処理をおこなった紙が用いられることが多い。なお、前記の表紙に隣接する紙片の例としては、いわゆる「遊び見返し」の紙片がある。
【００１１】
さらに、封緘に用いられる紙片と、それに隣接する紙片の種類等の関係、例えば封緘に用いられる紙片の摩擦係数が低いような場合には、本の輸送や読者の手元に届くまでの取扱い時に、より大きな力を受けることもあり得た。
【００１２】
本は、輸送時の取扱いももちろんであるが、店頭に並んだ後には、本を購入しようとする人が、内容を確認することが常であり、その際には、かなり乱暴に扱われているのが現状である。特に封緘部分は興味をひくために、その付近の頁が開かれることが多く、したがって、本の破損等が生じやすいのが現状である。
【００１３】
本発明はこのような問題点を解決するもので、その課題とするところは、封緘本が輸送されたり、読者の手元に届くまでに取り扱われる際に、本を綴じている部分が破壊されたり、本の「のど」付近の紙片に、皺が生じたり、破れるというような問題が生じることを防止し、したがって品質の高い封緘本の提供を可能にすることにある。
【課題を解決するための手段】
【００１４】
本発明は係る課題に鑑みなされたもので、本を構成する紙片の少なくとも一枚が小口方向に延長された延長部を備え、前記延長部が本文の少なくとも一部を封緘するように折り曲げられ、延長部先端が本を構成する他の紙片に接着されてなる封緘本において、前記延長部を有する紙片の、延長部以外の部分が、封緘される本文側の紙片と接着されてなることを特徴とする封緘本である。
【００１５】
ここで、「本」とは、雑誌、書籍はもちろん、カタログやパンフレットのような冊子体であるものはすべて含まれる概念である。大きさも特に限定されず、文庫本程度の大きさのものや、さらに小さい冊子、また、Ｂ４版あるいはそれ以上のような大きな本も含まれる。また、「紙片」とは、具体的には本文の紙片や表表紙、裏表紙、あるいは遊び見返しとして用いられている紙を意味し、特に限定はされない。この紙片に用いるために、他の紙片よりも厚い紙を挿入するような構成にしてもよい。
【００１６】
そして、「小口方向に延長された延長部」は、前記紙片として、本の大きさよりも大きな紙片を用いれば、その大きな部分を延長部とすることができる。また、延長部として、別の紙片を貼り合わせる構成にしてもよい。貼り合わせる場合には、材質は紙に限定されないことはもちろんである。本のどの部分を封緘するかは、本に要求される仕様によって異なる。そのため、その仕様に応じて、延長部を本文のうちのいずれかの紙片に設ける場合、遊び見返し等に設ける場合等があり得る。
【００１７】
「他の紙片」とは、延長部を備える紙片に対する用語であり、延長部を備える紙片とは他の紙片、という意味である。これは、本の頁（両面で２ページ）を構成する紙片単位で見た場合に「他の紙片」という意味であって、中綴じ本等において、「他の紙片」と延長部を備える紙片とが、綴じられる部分を経由して、一枚の紙となっていることはあり得るが、その場合も別々の頁を構成することから、「他の紙片」と解釈される。
【００１８】
そして、「前記封緘される本文頁側とは反対側の紙片」が、前記延長部を有する紙片や、前記他の紙片より、摩擦係数の低い紙片である場合には、本発明のいう接着が行われていなければ、動きが生じやすい。したがって、本発明のように、接着を行うことによって、そのような問題を解決することができる。
【００１９】
また、本発明は、本を構成する紙片の少なくとも一枚が小口方向に延長された延長部を備え、前記延長部が本文の少なくとも一部を封緘するように折り曲げられ、延長部先端が本を構成する他の紙片に接着されてなる封緘本において、前記延長部を有する紙片の、延長部以外の部分が、封緘される本文側とは反対側の紙片と接着されてなることを特徴とする封緘本である。
【００２０】
上記発明においては、延長部を有する紙片が、延長部以外の部分で、封緘される本文側とは反対側の紙片と接着される構成であるから、延長部を有する紙片は、表紙以外の紙片となる。
【００２１】
また、本発明は、前記封緘本を前提とし、封緘される本文側の紙片又は封緘される本文頁側とは反対側の紙片と接着されていることを特徴とするものである。
【発明の効果】
【００２２】
本発明は以上の構成であるから、下記に示す如き効果がある。
【００２３】
即ち、本発明によれば、延長部を有する紙片の、延長部以外の部分が、封緘される本文側の紙片と接着されてなるため、封緘本が輸送されたり、読者の手元に届くまでに取り扱われる際に、封緘された部分や封緘に用いられた紙片が動いても、延長部を有する紙片が、前記封緘される本文頁側とは反対側の紙片と接着されていることで、その反対側の紙片が緩衝的な役割を果たし、本の「のど」付近の紙片に、皺が生じたり、破れるというような問題が生じることがない。したがって、品質の高い封緘本を提供することができる。
【００２４】
また、本発明によれば、延長部を有する紙片の、延長部以外の部分が、封緘される本文側とは反対側の紙片と接着されてなるため、封緘された部分の両側で、前記同様の効果を得ることができる。
【００２５】
さらにまた、本発明によれば、他の紙片が、封緘される本文側の紙片又は封緘される本文頁側とは反対側の紙片と接着されているため、他の紙片側でも、上記同様に、本の「のど」付近の紙片に、皺が生じたり、破れるというような問題が生じることがない。したがって、品質の高い封緘本を提供することができる。
【発明を実施するための最良の形態】
【００２６】
以下本発明の実施するための最良の形態につき図面を用いながら詳細に説明する。
【００２７】
図１は、本発明の封緘本の説明図である。これを第一の実施形態として、説明する。図１で、本（１１）は、針金（１２）で綴じられている。そして、その本を構成する裏表紙（１９）である紙片は、延長部（１４）を有している。この紙片は、本文の紙片より大きい紙が使われており、本（１１）の小口側に、延長部を備える形状になっている。
【００２８】
上記延長部（１４）は、ミシン目（１５）を有している。このミシン目は、本を読者が読むために封緘を開く際に、開きやすいようにするためのものであり、実際に読む部分にあると支障があるため、支障を与えない部分にあればよい。通常は、延長部のどこかに設けられる。あるいは、延長部から本文側に少し入った部位でもよい。
【００２９】
また、上記延長部（１４）は、封緘される本文頁の紙片（１８）側に曲げられていて、表表紙（２０）でもある、他の紙片（１６）と、封緘のための接着部（１７）で接着されている。
【００３０】
この実施形態では、延長部を有する紙片（１３）と、他の紙片（１６）、本の綴じられる部分を介してつながっており、一枚の紙からなっている。しかし、綴じられる部分を中心に、それぞれ裏表紙と表表紙を構成している。このような場合にも、本発明においては、それぞれの紙片を、「延長部を有する紙片」と、「他の紙片を構成する紙片」と呼ぶものとする。
【００３１】
上記封緘のための接着部は、接着剤で接着される。接着部は、本の天地方向に細長く形成されている。この形成は、ノズルから接着剤を供給して塗布すればよい。製造工程においては、表紙や本文の丁合をするために、本を天地方向に搬送することが行われる。その場合には、ノズルから接着剤を供給することで、搬送の流れにしたがって、接着剤を塗布することが可能となり、好都合である。また、スクリーン印刷やゴム凸版（フレキソ印刷を含む）印刷法を用いてもよいが、均一な厚さで効率よく形成する方法として、シリコーンが塗布されている剥離紙に、リバースコーターやダイコーター等で接着剤を塗工し、乾燥後、細長の所望の幅にスリットし、貼り込む方法もある。
【００３２】
上記接着剤は、粘着性を維持するものが用いられ、例えば、スチレン系合成ゴム、水添粘着付与樹脂、プロセスオイル、並びに、酸化防止剤の４つの組成物から構成された粘着性接着剤が用いられる。前記４つの組成物の組成比（重量比）は、スチレン系合成ゴム５〜３０％，好ましくは１０〜２０％、水添粘着付与樹脂２５〜６０％，好ましくは３５〜５０％、プロセスオイル２５〜６０％，好ましくは３５〜５０％、酸化防止剤０〜３．０％，好ましくは０．１〜１．０％である。
【００３３】
なお、上記接着剤には、上述した粘着性接着剤の他、例えばホットメルト粘着剤、アクリル系粘着剤、シリコーン系粘着剤、粘着付与剤樹脂のうち任意の接着剤を用いることができる。詳しくは、前記ホットメルト粘着剤としては、熱可塑性ゴム（スチレン系熱可塑性エストラマー）系粘着剤、天然ゴム系粘着剤、石油ワックスを始めとする天然ワックス、並びにポリエチレンワックスを始めとする合成ワックス等が挙げられる。
【００３４】
上記アクリル系粘着剤としては、コスト的に有利なエマルジョン型粘着剤や、耐熱性に優れた溶剤型粘着剤等が挙げられる。前記シリコーン系粘着剤としては、過酸化物可硫型粘着剤や、ヒドロシリル化型（付加反応型）粘着剤等が挙げられる。
【００３５】
また、上記粘着付与剤樹脂としては、ロジン系、テルベン系を始めとする天然系や、石油樹脂を主とする合成系等が挙げられる。接着剤の材料としては、ホットメルト粘着剤、アクリル系粘着剤、シリコーン系粘着剤及び粘着付与剤樹脂等が好適に用いられ、これらから選択される二以上の材料を混合して用いてもよい。
【００３６】
そして、延長部を有する紙片（１３）は、延長部でない部分で、封緘される本文頁の紙片（１８）と接着部（２１）で接着されている。この接着剤は、上記の封緘のために用いられる接着剤と同じ接着剤でも、異なる接着剤でもよい。
【００３７】
ところで、表表紙と裏表紙、それらに隣接する紙片あるいは本文中の広告頁の紙片、には、他の本文に用いられる紙片とは異なる種類の紙や、表面加工が施された紙が用いられることがある。その場合、摩擦係数が本文に用いられる紙よりも低くなる場合があり、本の輸送や読者の手元に届くまでの取扱いの際に、動きが生じやすくなり、結果的に封緘に用いられる紙片に加わる力が大きくなる場合があり、上記のように、従来の封緘本に生じていた問題が生じやすくなることがあった。ここで、封緘に用いられる紙片とは、延長部を有する紙片（１３）や他の紙片（１６）のことである。
【００３８】
なお、上記表面加工としては、例えば印刷面に薄い塩化ビニルフィルムを、ビニル系接着剤を介して加熱加圧して貼る従来のビニル貼り、あるいは印刷面に塩ビ−酢ビ共重合体の（有機溶剤の）溶液を、グラビアコートあるいはロールコート法等で塗布し、さらにその表面に高光沢を与えるためにエンドレス鏡面スチール板を加熱し、この表面に圧着し、その後冷却して剥ぎ取るといういわゆる「プレスコート」による「ビニル引き」でもよい。
【００３９】
また、環境問題に鑑み、最近は、この「ビニル引き」に代わり、有機溶剤を用いない水性コート剤あるいは紫外線硬化型のニスのコート方法、あるいはビニル貼りに代わり、非塩ビ系の厚みが３０〜５０μｍ程度のポリプロピレンフィルムを貼るいわゆる「ＰＰ貼り」とするようになっている。
【００４０】
上記水性コート剤としては、例えば、アクリル系ポリマー、アクリルとスチレンのコポリマー等の固形成分に、湿潤剤、界面活性剤等の被膜適性を向上させる成分を加え、これら固形分を溶解または分散せしめる溶媒として水と一部添加されるイソプロピルアルコール（ＩＰＡ）等からなるもので、ロールコート法やグラビアコート法等で塗布し、加熱加圧によるプレスコートを行って平滑な表面とすることができる。
【００４１】
なお、水性コート剤を用いる方法は、樹脂加工された紙を再生紙として再利用するに際し、例えば紫外線硬化型のニスのコート方法やＰＰ貼りの方法によるものが、その脱墨（古紙のインキが温水と薬品で剥がされ、泡にそのインキを付着させて除去する）性が劣るのに対し、脱墨性にも優れ、環境面では最も優れた樹脂加工方法である。
【００４２】
なお、本実施形態によれば、そのまま読者に発送することも可能な形態となっている。さらに、本の取扱い時にも本が開くことがなく、取扱いやすいという効果も奏する。
【００４３】
次に、図２は、本発明の封緘本の説明図である。これを第二の実施形態として説明するが、第一の実施形態と共通する部分については、説明を省略する。図２で、本（１１）は、針金（１２）で綴じられている。そして、その本を構成する本文頁の紙片の１枚である紙片は、延長部（１４）を有している。この紙片は、他の本文頁の紙片より大きい紙片が使われており、本の小口側に、延長部を備える形状になっている。
【００４４】
上記延長部は、ミシン目（１５）を有している。このミシン目は、本を読者が読むために封緘を開く際に、開きやすいようにするためのものであり、実際に読む部分にあると支障があるため、支障を与えない部分にあればよい。通常は、延長部のどこかに設けられる。あるいは、延長部から本文側に少し入った部位でもよい。また、この延長部は、封緘される本文頁の紙片（１８）側に曲げられ、他の紙片（１６）と、封緘のための接着部（１７）で接着されている。
【００４５】
この実施形態では、延長部を有する紙片（１３）と、他の紙片（１６）は、本の綴じられる部分を介してつながっており、一枚の紙からなっているが、綴じられる部分を中心に、それぞれ別の頁を構成している。このような場合にも、本発明においては、それぞれ頁部分の紙片を、「延長部を有する紙片」と、「他の紙片を構成する紙片」と呼ぶものとすることは、第一の実施形態と同様である。
【００４６】
そして、延長部を有する紙片（１３）は、延長部でない部分で、封緘される本文頁の紙片（１８）とは、反対側の紙片である、裏表紙（１９）と接着部（２１）で接着されている。この接着剤は、上記の封緘のために用いられる接着剤と同じ接着剤でも、異なる接着剤でもよい。この裏表紙は、本実施形態においては、表表紙（２０）と一枚の紙で構成されている。
【００４７】
本実施形態では、表表紙（２０）までは封緘されておらず、表表紙は開くことができる。したがって、店頭で本の購入を検討している人は、本を手にとって開き、その部分の内容を確認することができ、購買意欲を高めることができるというものである。
【００４８】
本実施形態では、表表紙だけが開くことができる形態になっているが、他の紙片（１６）の位置を本の内側にずらすことによって、さらに多くの頁を開くことができる構成とすることも可能である。
【００４９】
さらに、図３は、本発明の封緘本の説明図である。これを第三の実施形態として説明するが、第一又は第二の実施形態と共通する部分については、説明を省略する。図３で、本（１１）は、針金（１２）で綴じられている。そして、その本を構成する本文頁の１枚である紙片は、延長部（１４）を有している。
【００５０】
上記延長部は、封緘される本文頁の紙片（１８）側に曲げられ、他の紙片（１６）と、封緘のための接着部（１７）で接着されている。そして、延長部を有する紙片（１３）は、延長部でない部分で、封緘される本文頁の紙片（１８）とは、反対側の紙片である、裏表紙（１９）と接着部（２１）で接着されている。この裏表紙は、本実施形態においては、表表紙（２０）と一枚の紙で構成されている。
【００５１】
さらに、他の紙片（１６）が、封緘される本文頁側とは反対側の紙片である表表紙（２０）と接着部（２２）で接着されている。この接着にも、封緘のための接着に用いる接着剤と同じ接着剤を用いることができるが、読者が剥離することができる接着剤を用いれば、表表紙の裏面や、それに対向する他の紙片（１６）の頁にも広告等を印刷することが可能になるため、紙面の有効活用につながる。
【００５２】
なお、本明細書において、特許請求の範囲に記載した発明に関連して、下記の発明を開示する。すなわち、本を構成する紙片の少なくとも一枚が小口方向に延長された延長部を備え、前記延長部が本文の少なくとも一部を封緘するように折り曲げられ、延長部先端が本を構成する他の紙片に接着されてなる封緘本の製造方法において、前記接着を行う前に、前記延長部を有する紙片を、封緘される本文の隣接する紙片及び封緘される本文側とは反対側の紙片の少なくとも一方と接着することを特徴とする封緘本の製造方法、という発明である。
【００５３】
以下に本発明の製造方法について、上記の第一の実施形態の本を例にとり、図４を用いて説明する。
【００５４】
まず、上記発明を採用する前について簡単に触れる。すなわち、図４において、接着部２１が存在しない場合を想定して説明する。この場合、延長部（１４）の先端を、本を構成する他の紙片（１６）に接着する前には、本（１１）の状態である。表表紙でもある延長部を有する紙片（１３）、裏表紙でもある他の紙片（１６）及びそれらで挟まれる本文で構成され、表表紙と裏表紙は一枚の紙片からなる。
【００５５】
本文は表紙とともに針金（１２）で中綴じされている。この例では、本文は、すべて封緘される形態となっていることから、本文は、封緘される本文頁の紙片（１８）と同じ意味になる。
【００５６】
また、上記延長部を有する紙片（１３）は、小口側に延長部（１４）を有している。この図は、延長部（１４）を他の紙片（１６）に接着し、封緘を行うために搬送している図であるために、延長部が図の右側に飛び出した状態となっている。なお、製造工程としては、本文を面付けした状態で印刷した後、本文を折る。折られた本文を帳合する。そして、その上に表紙を重ね、針金で中綴じする。その状態で、本の天側、地側及び小口側の三方を断裁する。これによって折られた本文の、本ののど側以外が断裁されて、それぞれの紙片に分離する。
【００５７】
この三方断裁の際に、延長部（１４）が断裁されてしまわないように、断裁サイズより若干小さなサイズになるように、延長部を、表表紙側に重なるように折っておくことが必要となる。そして、三方断裁後に、折られていた延長部を延ばし、他の紙片（１６）に接着することで、封緘が行われる。
【００５８】
ところで、このような製造工程において、封緘のための接着を行う等の場合に、本がコンベア（２３）によって運ばれる等の手段がとられることがある。通常の搬送方法は、図４の紙面の表面から裏面の方向である。本が、製造工程中に運ばれる、あるいは何らかの形で取扱われると、延長部を有する紙片（１３）に、例えばコンベアの搬送によって力が加わり、封緘される本文頁の紙片（１８）との間に、ずれが生ずる場合があった。そして、ずれた状態で、延長部（１４）が他の紙片（１６）に接着されると、本の外観を損なう結果をきたしていた。
【００５９】
例えば、延長部（１４）が他の紙片（１６）に接着された後は、それらは一体的な外観となるため、それらが重なった状態で視認可能なように、その重なった頁に印刷が行われることがあり、上記のように、ずれた状態で接着されると、その接合部で印刷された画像がずれてしまうという問題点があった。
【００６０】
特に、図４に示すように、他の紙片（１６）が表紙である場合には、本の最も目につきやすい外観の美観を損なうことになり、特に大きな問題であった。さらに、既に述べたように、本において、表紙には他の頁と異なった種類の紙が用いられたり、表面加工が施されることがあるために、表紙の摩擦係数が低くなった場合には、上記のように、ずれる、という問題が大きくなるというものであった。
【００６１】
そこで、上記の製造方法の発明を採用することで、このような課題を解決することができる。具体的には、延長部（１４）と他の紙片（１６）の接着を行う前に、図４に示すように、延長部を有する紙片（１３）を、封緘される本文頁の紙片（１８）と接着しておくというものである。図４において、その接着は接着部（２１）として表現されている。
【００６２】
これによって、本が、製造工程中に運ばれる、あるいは何らかの形で取扱われた場合にも、延長部を有する紙片（１３）と封緘される本文頁の紙片（１８）との間に、ずれが生ずることがなく、したがって、延長部（１４）が他の紙片（１６）に接着された場合にも、その間にずれが生ずることがない。
【００６３】
また、この例では、延長部を有する紙片（１３）が表表紙という最も外側の紙片であるが、表表紙でなく、さらに外側に紙片を有する場合には、その外側の紙片、すなわち、封緘される本文側とは反対側の紙片と接着してもよい。さらに、その場合、本文頁の紙片と封緘される本文側とは反対側の紙片の両方の紙片と接着してもよい。
【００６４】
このような接着を行うのは、なるべく早い段階で行ったほうが、上記のずれが生じにくいことになり、好ましい。したがって、中綴じ本を例にとると、本文の折りを重ね、最後に表紙を重ねる前に、表紙に対向する頁に接着剤と塗布しておくという方法が考えられる。そのようにすれば、表紙を重ね、軽く圧力をかけることで、接着することができる。
【００６５】
また、表紙を重ね、針金で綴じた後に、表紙を広げて接着剤を塗布して接着するという方法も考えられる。
【００６６】
上記のように、延長部（１４）と他の紙片（１６）の接着を行う前に、延長部を有する紙片を、封緘される本文の隣接する紙片及び封緘される本文側とは反対側の紙片の少なくとも一方と接着することで、上記のように、ずれる、という問題が生ずることを防止することができ、本の外観に影響を与えることがない。
【００６７】
図４に示す実施形態では、延長部を有する紙片を、封緘される本文の隣接する紙片と接着している。この接着を行うことで、既に述べた紙面の有効活用、という点からはデメリットとして働く可能性もある。すなわち、接着部（２１）によって接着されているために、表紙の裏側と、それに対向する頁が綴じられた状態となって、読者が読むことができないという問題がある。したがって、この接着を仮止めとし、剥離可能な接着剤を用いることは好ましい。それによって、読者が読む際に剥離することが可能となり、読者の購買意欲を高めることに用いることが可能となり、また、紙片の接着剤を塗布する部分に、上記したような表面加工を施しておくことで、接着剤の剥離性を高めることも可能となるものである。
【００６８】
また、上記のように製造工程中で、延長部を有する紙片を、封緘される本文の隣接する紙片及び封緘される本文側とは反対側の紙片の少なくとも一方と接着した場合、延長部（１４）と他の紙片（１６）の接着が行われた後の輸送や読者の手に渡るまでの取り扱いとの関係からは、延長部を有する紙片と、封緘される本文の隣接する紙片及び封緘される本文側とは反対側の紙片の少なくとも一方との接着は、あったほうが好ましい。
【００６９】
しかし、紙面の有効活用、本としての読者への外観からの利便性を考慮する観点からは、延長部（１４）と他の紙片（１６）との接着が行われた後に、延長部を有する紙片と封緘される本文の隣接する紙片との接着を剥がしてしまうことも考えられる。
【００７０】
また、上記実施形態のいずれにおいても、封緘のための接着部（１７）は、延長部（１４）の内面側に設けられているが、外面側でもよい。上記第一の実施形態を例にとり、図５を用いて説明する。図５では、封緘のための接着部（１７）は、延長部（１４）の外面側に設けられている。これにより、他の紙片（１６）の外面側には接着部が存在しないことになり、その外面側の印刷を行うにあたり、延長部が重なることを考慮せずに印刷を行うことができる。
【００７１】
つまり、図１の形態であれば、他の紙片の外面側の全面に印刷をしようとすれば、延長部にも、他の紙片と重なった状態で一枚の印刷頁となるように、印刷を施しておかなければならないが、図５に示した実施形態ではそのようなことがない。
【００７２】
以上、第一の実施形態を例にとり説明したが、他の実施形態でも、延長部（１４）の外面側に接着部（１７）を設けることはもちろん可能である。
【００７３】
上記の本発明における実施形態においては、金具を用いた中綴じ本について説明をしたが、綴じる方式は任意であり、無線綴じにより綴じた本についても、適用可能である。無線綴じの本であっても、延長部を有する紙片（１３）や他の紙片（１６）に力が加わり、皺が発生する等の問題は生じ得るからである。
【図面の簡単な説明】
【００７４】
【図１】本発明の第一の実施形態に係る封緘本の説明図である。
【図２】本発明の第二の実施形態に係る封緘本の説明図である。
【図３】本発明の第三の実施形態に係る封緘本の説明図である。
【図４】本発明の封緘本の製造工程における説明図である。
【図５】本発明の他の実施形態に係る封緘本の説明図である。
【符号の説明】
【００７５】
１１・・・本
１２・・・針金
１３・・・延長部を有する紙片
１４・・・延長部
１５・・・ミシン目
１６・・・他の紙片
１７・・・封緘のための接着部
１８・・・封緘される本文頁の紙片
１９・・・裏表紙
２０・・・表表紙
２１・・・接着部
２２・・・接着部
２３・・・コンベア
【図１】
0004826278.tif 000002
【図２】
0004826278.tif 000003
【図３】
0004826278.tif 000004
【図４】
0004826278.tif 000005
【図５】
0004826278.tif 000006